(57)【要約】【課題】空調機の運転効率の低下を容易に診断することを可能にする診断支援装置を提供することにある。【解決手段】本発明の診断支援装置４０は、空調機１０の運転効率の診断を支援する診断支援装置４０であって、取得部２５ａ，３５ａと、特定部２５ｂ，２５ｃ，３５ｂ，３５ｃ，３５ｄと、画面生成部３５ｅとを備える。取得部は、空調機から運転データを取得する。特定部は、取得部によって取得された運転データを用いて、空調機の状態値を特定する。画面生成部は、特定部によって特定された状態値に基づいて判定される、所定期間における空調機の運転状況と、運転効率の診断の基準値とを比較可能に示すための画面を生成する。また、状態値には、空調負荷率、電力消費量、またはＣＯＰのうち少なくともいずれか一つが含まれる。【選択図】図４
2010048433.tif 000002
【特許請求の範囲】
【請求項１】
空調機（１０）の運転効率の診断を支援する診断支援装置（４０）であって、
前記空調機から運転データを取得する取得部（２５ａ，３５ａ）と、
前記取得部によって取得された前記運転データを用いて、前記空調機の状態値を特定する特定部（２５ｂ，２５ｃ，３５ｂ，３５ｃ，３５ｄ）と、
前記特定部によって特定された前記状態値に基づいて判定される、所定期間における前記空調機の運転状況と、前記運転効率の診断の基準値とを比較可能に示すための画面を生成する画面生成部（３５ｅ）と
を備え、
前記状態値には、空調負荷率、電力消費量、またはＣＯＰのうち少なくともいずれか一つが含まれる、
診断支援装置。
【請求項２】
前記基準値は、前記空調負荷率と前記ＣＯＰとの関係で決定する、
請求項１に記載の診断支援装置。
【請求項３】
前記画面生成部は、前記所定期間における前記空調機の運転状況を散布図で示す前記画面を生成する、
請求項２に記載の診断支援装置。
【請求項４】
前記画面生成部は、過去の所定期間における前記空調機の運転状況である過去の運転状況と、現在の所定期間における運転状況とを比較可能に示す一つの前記画面を生成する、
請求項２または３に記載の診断支援装置。
【請求項５】
空調機（１０）の運転効率の診断を支援する診断支援方法であって、
前記空調機から運転データを取得する取得ステップと、
前記取得ステップによって取得された前記運転データを用いて、前記空調機の状態値を特定する特定ステップと、
前記特定ステップによって特定された前記状態値に基づいて判定される、所定期間における前記空調機の運転状況と、前記運転効率の診断の基準値とを比較可能に示すための画面を生成する画面生成ステップと
を備え、
前記状態値には、空調負荷率、電力消費量、またはＣＯＰのうち少なくともいずれか一つが含まれる、
診断支援方法。
【発明の詳細な説明】
【技術分野】
【０００１】
本発明は、空調機の診断支援装置に関する。
【背景技術】
【０００２】
オフィスビルやテナントビル等では、建物内の各空間の空調環境を効果的に調整するため、マルチタイプの空調機が用いられることが一般的である。また、これらのビルの総電力消費量に占める空調機の電力消費量の割合は増加傾向にあるものと推定されている。
【０００３】
一方、近年の省エネルギーの要請により、空調機の運転に無駄がないかを判断するため、空調機の電力消費量を推定し、電力消費量の診断を行う装置が提案されている（例えば、特許文献１参照）。マルチタイプの空調機では、シングルタイプの空調機に比べ電力消費量も増加するため、電力消費量を推定して無駄な運転を削減することにより、省エネルギー効果を得ることが期待される。
【特許文献１】特開２００４―８５０８７号公報
【発明の開示】
【発明が解決しようとする課題】
【０００４】
しかし、電力消費量の増加は、無駄な運転を原因とするものに限られず、空調機の運転効率に原因がある場合もある。すなわち、経年による空調機の劣化や設置場所が不適切であること等により空調機の運転効率が低下し、その結果、必要以上に電力が消費される場合もある。
【０００５】
本発明の課題は、空調機の運転効率の低下を容易に診断することを可能にする診断支援装置を提供することにある。
【課題を解決するための手段】
【０００６】
第１発明に係る診断支援装置は、空調機の運転効率の診断を支援する診断支援装置であって、取得部と、特定部と、画面生成部とを備える。取得部は、空調機から運転データを取得する。特定部は、取得部によって取得された運転データを用いて、空調機の状態値を特定する。画面生成部は、所定期間における空調機の運転状況と、運転効率の診断の基準値とを比較可能に示すための画面を生成する。空調機の運転状況は、特定部によって特定された状態値に基づいて判定される。また、状態値には、空調負荷率、電力消費量、またはＣＯＰのうち少なくともいずれか一つが含まれる。
【０００７】
本発明に係る診断支援装置では、空調機から蒸発圧力Ｐｅ、凝縮圧力Ｐｃ、圧縮機の運転状態などの運転データが取得される。取得された運転データを用いて空調機の空調負荷率、電力消費量、またはＣＯＰのうち少なくともいずれか一つの状態値が特定される。所定期間における空調機の運転状況と、運転効率の診断の基準値とを比較可能に示すための画面が生成される。所定期間における空調機の運転状況は、状態値に基づいて判定される。
【０００８】
これにより、空調機の運転効率の低下を容易に診断することができる。
【０００９】
第２発明に係る診断支援装置は、第１発明に係る診断支援装置であって、基準値は、空調負荷率とＣＯＰとの関係で決定する。
【００１０】
本発明に係る診断支援装置では、空調負荷率とＣＯＰとの関係で決定した基準値と、空調機の運転状況とが比較可能に示される。
【００１１】
これにより、所定期間における空調機の運転状況を空調負荷率とＣＯＰとの関係で決定した基準値と比較することができる。
【００１２】
第３発明に係る診断支援装置は、第２発明に係る診断支援装置であって、画面生成部は、所定期間における空調機の運転状況を散布図で示す前記画面を生成する。
【００１３】
本発明に係る診断支援装置では、所定期間における空調機の運転状況が散布図で示す画面が生成される。
【００１４】
これにより、所定期間における空調機の運転効率を容易に判定することができる。
【００１５】
第４発明に係る診断支援装置は、第２発明または第３発明に係る診断支援装置であって、画面生成部は、過去の運転状況と、現在の所定期間における運転状況とを比較可能に示す一の画面を生成する。過去の運転状況とは、過去の所定期間における空調機の運転状況である。
【００１６】
本発明に係る診断支援装置では、現在の空調機の運転状況と過去の空調機の運転状況とが比較可能な態様で一つの画面に表示される。
【００１７】
これにより、時間の経過に付随して低下する運転効率を容易に判定することができる。
【００１８】
第５発明に係る診断支援方法は、空調機の運転効率の診断を支援する診断支援方法であって、取得ステップと、特定ステップと、画面生成ステップとを備える。取得ステップは、空調機から運転データを取得する。特定ステップは、取得ステップによって取得された運転データを用いて、空調機の状態値を特定する。画面生成ステップは、所定期間における空調機の運転状況と、運転効率の診断の基準値とを比較可能に示すための画面を生成する。空調機の運転状況は、特定ステップによって特定された状態値に基づいて判定される。また、状態値には、空調負荷率、電力消費量、またはＣＯＰのうち少なくともいずれか一つが含まれる。
【００１９】
本発明に係る診断支援方法では、空調機から蒸発圧力Ｐｅ、凝縮圧力Ｐｃ、圧縮機の運転状態などの運転データが取得される。当該運転データを用いて、空調機の空調負荷率、電力消費量、またはＣＯＰのうち少なくともいずれか一つの状態値が特定される。所定期間における空調機の運転状況と、運転効率の診断の基準値とを比較可能に示すための画面が生成される。
【００２０】
これにより、空調機の運転効率の低下を容易に診断することができる。
【発明の効果】
【００２１】
第１発明に係る診断支援装置では、空調機の運転効率の低下を容易に診断することができる。
【００２２】
第２発明に係る診断支援装置では、所定期間における空調機の運転状況を基準値と比較することができる。
【００２３】
第３発明に係る診断支援装置では、所定期間における空調機の運転効率を容易に判定することができる。
【００２４】
第４発明に係る診断支援装置では、時間の経過に付随して低下する運転効率を容易に判定することができる。
【００２５】
第５発明に係る診断支援方法では、空調機の運転効率の低下を容易に診断することができる。
【発明を実施するための最良の形態】
【００２６】
以下、本発明に係る空調機の診断支援システム１について図面を用いて説明する。
【００２７】
（１）全体構成
図１は、本実施形態で用いる空調機１０の診断支援システム１の構成を示す。診断支援システム１はオフィスビルやテナントビル等の建物に用いられるシステムである。診断支援システム１は、主として、空調機１０と、診断支援装置４０とからなる。
【００２８】
空調機１０はマルチタイプの空調機であり、一台の室外機１１に複数の室内機１２が接続されている。図１には、１台の室外機１１と８台の室内機１２とからなる空調機１０が示されているが、室外機１１および室内機１２の数はこれに限定されるものではない。
【００２９】
診断支援装置４０は、コントローラ２０と、補助装置３０とからなる。コントローラ２０は、室外機１１と空調制御用通信線９１で接続されている。コントローラ２０は、空調制御用通信線９１を介して、空調機１０に対する制御指令を室外機１１に送信する。また、コントローラ２０は、空調制御用通信線９１を介して、空調機１０の運転データを取得する。ここで、運転データとは、空調機１０の運転履歴に関するデータおよび運転状態に関するデータである。運転履歴に関するデータとは、各室内機１２の電源のオン・オフ、サーモオン・オフ、運転モード（冷房モード、暖房モード、送風モード等）、設定温度、室内温度（吸込み温度）等に関する情報をいう。運転状態に関するデータとは、空調機１０に取り付けられている各種センサおよび各種計測器で検知された値である。コントローラ２０で、このような空調機１０からの運転データを取得することにより、例えば、各室内機１２の運転時間や室内膨張弁の開度、蒸発圧力Ｐｅ、凝縮圧力Ｐｃ、および圧縮機の周波数／回転数等を把握することができる。なお、本実施形態において運転時間とは、具体的に、室内機１２のサーモオン時間である。ここで、サーモオン時間とは、室内機１２が冷温熱供給を行っている時間をいう。
【００３０】
さらに、診断支援システム１では、電源６０から空調機１０に供給される電力が電力量計５０によって計測される。具体的に、電源６０には室外機１１が接続されており、電源６０と室外機１１との間に電力量計５０が設置される。電力量計５０は、電源６０から室外機１１に供給される電力量を計測する。コントローラ２０は、配線９２を介して、電力量計５０で計測された電力量、すなわち、室外機１１で消費された電力に関する情報（電力消費量）を取得する。電力量計５０で計測された電力消費量は、空調機１０の運転データとして後述する運転データ記憶領域２４ａに記憶される。
【００３１】
（２）診断支援装置の構成
図２は、本実施形態に係る診断支援装置４０の概略構成図である。診断支援装置４０は、コントローラ２０と、補助装置３０とからなる。上述したように、コントローラ２０は、空調機１０の室外機１１と空調制御用通信線９１を介して接続されている。また、補助装置３０は、コントローラ２０とＬＡＮで接続されている。補助装置３０は、コントローラ２０を介して空調機１０の運転データを取得する。以下、図２を参照して、各部の構成を説明する。
【００３２】
＜コントローラ＞
コントローラ２０は、主として、通信部２１と、表示部２２と、入力部２３と、記憶部２４と、制御部２５とを有する。
【００３３】
〔通信部〕
通信部２１は、他の機器と通信を行うための通信用インターフェースである。
【００３４】
〔表示部〕
表示部２２は、コントローラ２０で受け付けた各室内機１２の運転データを表示するためのディスプレイである。ディスプレイに表示される運転データには、各室内機１２の運転／停止の状態、運転モード（冷房モード、暖房モード、送風モード等）、設定温度、および室内温度などが含まれる。また、表示部２２は、複数の室内機１２に対する制御命令を受け付けるための操作画面でもある。
【００３５】
〔入力部〕
入力部２３は、主として上述のディスプレイを覆うタッチパネルおよび操作ボタンから構成されている。
【００３６】
〔記憶部〕
記憶部２４には、運転データ記憶領域２４ａが含まれる。運転データ記憶領域２４ａには、空調機１０の運転データが記憶される。具体的に、運転データ記憶領域２４ａに記憶される運転データには、空調機１０の運転履歴に関するデータおよび運転状態に関するデータと、空調機１０の電力消費量とが含まれる。ここで、空調機１０の電力消費量には、後述する電力消費量算出部２５ｃによって算出された室外機１１の電力消費量（室外機電力量Ｅｏ）および室内機１２の電力消費量（室内機電力量ＥIk）が含まれる。なお、運転データ記憶領域２４ａは、運転データを所定の時間（本実施形態では３０分）のみ記憶しておくことが可能な記憶容量を有しており、新しい運転データが取得されるたびに、順次古い運転データが消去されてゆく。なお、記憶部２４は、上記領域の他、後述の制御部２５が読み出して実行可能な管理プログラムが格納される領域を有している。
【００３７】
〔制御部〕
制御部２５は、主として、取得部２５ａと、空調能力算出部２５ｂと、電力消費量算出部２５ｃと、送信部２５ｄとを有している。
【００３８】
取得部２５ａは、通信部２１を介して、空調機１０の運転データを所定間隔毎（本実施形態では５分毎）に取得する。
【００３９】
空調能力算出部２５ｂは、取得部２５ａが取得した空調機１０の運転データに基づいて、空調機１０の空調能力を推定する。具体的には、空調能力算出部２５ｂは、蒸発器または凝縮器のエンタルピ差に冷媒循環量Ｇを乗じることによって空調能力を算出する。より具体的には、冷房時の空調能力Ｑｃは、蒸発器のエンタルピ差Δｉｃに冷媒循環量Ｇを乗じることにより算出される（Ｑｃ＝Δｉｃ×Ｇ）。また、暖房時の空調能力Ｑｈは、凝縮器のエンタルピ差Δｉｈに冷媒循環量Ｇを乗じることにより算出される（Ｑｈ＝Δｉｈ×Ｇ）。
【００４０】
また、空調能力算出部２５ｂは、ここで用いられるエンタルピ差Δｉｃ、Δｉｈ、および冷媒循環量Ｇを、取得部２５ａが取得した運転データに基づき推定する。具体的に、エンタルピ差Δｉｃ、Δｉｈは、蒸発圧力Ｐｅ、凝縮圧力Ｐｃ、圧縮機の性能特性、および制御目標値（過熱度ＳＨ、過冷却度ＳＣ）によって求められる。図３は、冷暖房のエンタルピ差を示す図であり、上述した運転データの関係を表す。また、冷媒循環量Ｇは、蒸発圧力相当飽和温度Ｔｅ、凝縮圧力相当飽和温度Ｔｃから算出される（Ｇ＝ｆ（Ｔｅ，Ｔｃ））（ARI：STANDARD for PERFORMANCE RATION OF POSITIVE DISPLACEMANT REFRIGERANT COMPRESSORS AND COMPRESSOR UNITS, Standard 540(2004)、Carl C. Hiller：DETAILED MODELING AND COMPUTER SIMULATION OF RECIPROCATING REFRIGERATION COMPRESSORS, Proc. of International Compressor Engineering Conference at Purdue (1976), pp12-16参照）。なお、蒸発圧力相当飽和温度Ｔｅ、凝縮圧力相当飽和温度Ｔｃは、それぞれ、蒸発圧力Ｐｅ、凝縮圧力Ｐｃより一意に決まる変数である。
【００４１】
電力消費量算出部２５ｃは、空調機１０の電力消費量を算出する。詳細には、電力消費量算出部２５ｃは、室外機１１の電力消費量である室外機電力量Ｅｏと、室内機１２の電力消費量である室内機電力消費量ＥIkとをそれぞれ算出する。室外機電力量Ｅｏは、電力量計５０で計測された電力消費量を診断支援システム１内に含まれる室外機１１の能力比に応じて按分することで求められる。すなわち、図１に示すように、診断支援システム１内に含まれる室外機１１の数が１台である場合には、電力量計５０で計測された電力消費量が室外機電力量Ｅｏになる。室内機電力量ＥIkは、ファンの定格電力にその運転時間を乗じることにより求められる。電力消費量算出部２５ｃによって算出された値は、上述の運転データ記憶領域２４ａに記憶される。
【００４２】
送信部２５ｄは、運転データ記憶領域２４ａに記憶された運転データを、通信部２１を介して、所定時間ごと（例えば、５分ごと）に補助装置３０に送信する。
【００４３】
＜補助装置の構成＞
図２に示すように、補助装置３０は、主として、通信部３１と、表示部３２と、入力部３３と、記憶部３４と、制御部３５とを有する。
【００４４】
〔通信部〕
通信部３１は、コントローラ２０と通信を行うための通信用インターフェースである。
【００４５】
〔表示部〕
表示部３２は、コントローラ２０を介して取得された空調機１０の運転データを表示するためのディスプレイである。ディスプレイに表示される運転データには、コントローラ２０の表示部２２で表示された運転データと同様、各室内機１２の運転／停止の状態、運転モード（冷房モード、暖房モード、送風モード等）、設定温度、および室内温度などが表示される。さらに、表示部３２には、後述する画面生成部３５ｅによって生成される画面が表示される。画面生成部３５ｅによって生成される画面については、画面生成部３５ｅの説明と併せて詳細に説明する。
【００４６】
〔入力部〕
入力部３３は、主としてキーボードおよび操作ボタンから構成されている。
【００４７】
〔記憶部〕
記憶部３４は、主として、運転データ記憶領域３４ａと、基準値記憶領域３４ｂとを有する。
【００４８】
運転データ記憶領域３４ａには、上述の送信部２５ｄによって送信された運転データ（空調機１０の運転履歴に関するデータおよび運転状態に関するデータと、室外機電力量Ｅｏおよび室内機電力量ＥIk）が記憶される。
【００４９】
基準値記憶領域３４ｂには、空調機１０の運転効率の診断を行う際の基準値が記憶される。本実施形態における基準値は、空調負荷率とシステムＣＯＰとの関係で決定する値であって、空調機１０のカタログ値である。なお、この値は、JIS B 8615に準拠して計測した値になっている。
【００５０】
〔制御部〕
制御部３５は、主として、取得部３５ａと、ＣＯＰ算出部３５ｂと、平均空調負荷率算出部３５ｃと、平均電力消費量算出部３５ｄと、画面生成部３５ｅとを有する。
【００５１】
取得部３５ａは、上述のコントローラ２０から送られた運転データを取得する。
【００５２】
ＣＯＰ算出部３５ｂは、空調機１０のＣＯＰ（成績係数）を算出する。空調機１０のＣＯＰには、機器ＣＯＰとシステムＣＯＰとが含まれる。機器ＣＯＰは、室外機１１の単体の性能を表す。具体的には、上述の空調能力算出部２５ｂによって算出された室外機１１の空調能力Ｑを室外機１１の電力消費量Ｅｏで除算した値とする（機器ＣＯＰ＝Ｑ／Ｅｏ）。システムＣＯＰは、空調能力Ｑを室外機電力量Ｅｏおよび室内機電力量ＥIkの合計値で除算した値とする（システムＣＯＰ＝Ｑ／（Ｅｏ＋ΣＥIk））。また、所定期間におけるシステムＣＯＰは、式：システムＣＯＰ＝（ΣＱｃ／ΣＨ）／Ｅａにより求められる。ここで、ΣＨは、空調機１０の運転時間［時間］を表す。また、本実施形態における所定期間とは、２００７年４月１日〜２００８年３月３１日までの期間をいう。
【００５３】
平均空調負荷率算出部３５ｃは、運転データ記憶領域３４ａに記憶されている運転データに基づいて、所定期間における空調機１０の空調負荷率の日平均値を算出する。具体的には、式：空調負荷率［％］＝（ΣＱｃ／ΣＨ）／Ｑｒにより求められる。ここで、Ｑｒ
は、定格能力［ｋＷ］を表す。
【００５４】
平均電力消費量算出部３５ｄは、運転データ記憶領域３４ａに記憶されている運転データに基づいて、所定期間における空調機１０の電力消費量の日平均値を算出する。具体的には、式：電力消費量Ｅａ［ｋＷｈ／ｈ］＝Σ（Ｅｏ＋ΣＥIk）／ΣＨにより求められる
。
【００５５】
画面生成部３５ｅは、所定期間における空調機１０の運転状況を示すための画面を生成する（図４および図５参照）。図４に示す画面は、上述したＣＯＰ算出部３５ｂおよび平均空調負荷率算出部３５ｃによって算出された値に基づいて判定された空調機１０の運転状況を示す画面である。図４に示す画面では、空調機１０の運転状況が上述の基準値記憶領域３４ｂに記憶された基準値と比較可能に表示される。図５に示す画面は、平均空調負荷率算出部３５ｃおよび平均電力消費量算出部３５ｄによって算出された値に基づいて判定された空調機１０の運転状況を示す画面である。
【００５６】
〔画面の説明〕
以下に、上述の画面生成部３５ｅによって生成される、空調機１０の運転状況を示す画面について、図４および図５を参照して説明する。上述したように、図４および図５は、補助装置３０の表示部３２に表示される画面である。図４の画面は、横軸を空調機１０の空調負荷率［％］とし、左側の縦軸を空調機１０のシステムＣＯＰ［−］とした場合の空調機１０の運転状況を示す散布図である。また、図４の画面の右側の縦軸には、設備設計資料等を参照して求めたシステムＣＯＰの基準比が併記される。図５の画面は、横軸を空調機１０の空調負荷率［％］とし、縦軸を空調機１０の電力消費量［ｋＷｈ／ｈ］とした場合の空調機１０の運転状況を示す散布図である。
【００５７】
〔処理の流れ〕
次に、空調機１０の運転状況が表示部３２に表示されるまでの処理の流れを、図６を用いて説明する。
【００５８】
ステップＳ１０１で、補助装置３０は、コントローラ２０を介して、空調機１０の運転データを取得する。その後、ステップＳ１０２で、空調機１０の状態値が特定される。状態値とは、具体的に、空調機１０の空調負荷率および電力消費量、およびシステムＣＯＰ等である。その後、空調負荷率とシステムＣＯＰとの関係で決定する空調機１０の運転状況を表示する画面と、空調負荷率と電力消費量との関係で決定する空調機１０の運転状況を表示する画面とが生成される。これらの画面が表示部３２に表示される。
【００５９】
＜特徴＞
（１）本実施形態に係る空調機の診断支援装置４０は、空調負荷率［％］とシステムＣＯＰ［−］との関係で決まる空調機１０の運転状況が表示部３２に表示される（図４参照）。また、表示部３２には、システムＣＯＰの基準値が表示される。これにより、基準値と比較した空調機１０の運転効率の低下を容易に診断することができる。また、空調機１０の性能検証や経年劣化の把握が容易になる。
【００６０】
（２）また、表示部３２には、空調負荷率［％］と電力消費量［ｋＷｈ／ｈ］との関係で決まる空調機１０の運転状況が表示される（図５参照）。図４では、空調負荷率が低くなるにつれてシステムＣＯＰが低下する傾向を把握することができる一方、図５では、空調負荷率が低くなるにつれて電力消費量が低下する傾向を把握することができる。
【００６１】
（３）図４に示すように、表示部３２には、空調機１０の運転状況がシステムＣＯＰの基準値との関係でどの程度の状態にあるかを診断するための基準比が記載されている（右側縦軸）。これにより、システムＣＯＰの低下の程度を容易に判定することができる。
【００６２】
＜変形例＞
（１）上記実施形態に係る診断支援装置４０は、コントローラ２０と補助装置３０とから構成されていたが、診断支援装置４０は、コントローラ２０および補助装置３０に備えられた機能を有する一つの装置であってもよい。または、コントローラ２０および補助装置３０の両方の機能がいずれか一方もしくは両方に含まれていてもよい。
（２）上記実施形態に係る診断支援装置４０では、２００７年４月１日〜２００８年３月３１日までの期間における空調機１０の運転状況を表示部３２に表示したが、図７に示すように、さらに、その前の年度の同時期（２００６年４月１日〜２００７年３月３１日まで）に取得された運転データ（空調負荷率およびシステムＣＯＰ）に基づいて特定された空調機１０の運転状況を併せて表示してもよい。上述したように、空調負荷が小さくなるにつれ、室内機のファン電力の影響が大きく見えるため、システムＣＯＰが低く表示される。しかし、空調負荷が小さい場合には、電力消費量はわずかである。また、室内機のファン電力は室内空気を循環・清浄させる目的で利用されているため非効率な運転とは言い難い側面もある。しかし、複数年の空調機１０の運転状況を併せて表示することにより、経年を理由として低下する空調機１０のシステムＣＯＰを診断することが可能になる。また、経年以外の理由、すなわち、設置場所が不適切であること等により、空調機の運転効率が低下している可能性を視野に入れることができる。
（３）さらに、上記実施形態では、基準値として空調機１０のカタログ値を用いたが、基準値は前年度の空調機１０の運転状況に基づいて決定されてもよい（図８参照）。
【００６３】
＜他の実施形態＞
以上、本発明の実施形態について図面に基づいて説明したが、具体的な構成はこれらの実施形態に限られるものではなく、発明の要旨を逸脱しない範囲で変更可能である。
【産業上の利用可能性】
【００６４】
本発明は、空調機の運転効率の低下を容易に診断することを可能にする診断支援装置として有用である。
【図面の簡単な説明】
【００６５】
【図１】本実施形態に係る診断支援システムの全体構成を示す図である。
【図２】本実施形態に係る診断支援装置の構成を示す図である。
【図３】冷暖房のエンタルピ差を示す図である。
【図４】本実施形態に係る表示部に表示される画面の例である。
【図５】本実施形態に係る表示部に表示される画面の例である。
【図６】本実施形態に係る診断支援装置における処理の流れを示すフローである。
【図７】本実施形態の変形例（２）に係る表示部に表示される画面の例である。
【図８】本実施形態の変形例（３）に係る表示部に表示される画面の例である。
【符号の説明】
【００６６】
１０    空調機
１１    室外機
１２    室内機
２０    コントローラ
３０    補助装置
４０    診断支援装置
【図１】
2010048433.tif 000003
【図２】
2010048433.tif 000004
【図３】
2010048433.tif 000005
【図４】
2010048433.tif 000006
【図５】
2010048433.tif 000007
【図６】
2010048433.tif 000008
【図７】
2010048433.tif 000009
【図８】
2010048433.tif 000010